(57)【要約】【課題】模範演奏に基づく各鍵のガイドを該当鍵が操作されるまで持続させることで鍵盤演奏のレッスン効率を上げるようにした演奏ガイド処理システムを提供する。【解決手段】このシステムでは、鍵盤１５Ｋの各鍵毎にＬＥＤ等のガイドランプを備えた演奏ガイド手段１６が設けられ、連弾モードでは、鍵盤１５Ｋが先生側及び生徒側鍵域Ｒｔ，Ｒｓに分割される。先生側鍵域Ｒｔ内での模範演奏による音高情報が積み処理部Ｅを通じて順次バッファＧに蓄積され、バッファＧに蓄積された音高情報に基づいて（Ｈ）対応する鍵（該当鍵）のガイドランプが点灯され該当鍵の演奏ガイドが開始される。これに対して、生徒が生徒側鍵域Ｒｓで該当鍵を操作した場合に、削除処理部Ｆにより模範演奏の音高情報がバッファＧから削除され、ガイドランプが消灯され該当鍵の演奏ガイドが終了される。連結モードでは、先生側楽器が音高情報の信号線で生徒側楽器に連結される。【選択図】図３
2009222763.tif 000002
【特許請求の範囲】
【請求項１】
複数の鍵から成り鍵域分割の指示により実効的に２つの鍵域に分割される鍵盤と、
鍵盤の各鍵に対して演奏すべきことをガイドするための演奏ガイド手段と、
一方の鍵域内の鍵の操作に応じて生成される音高情報を順次取得する音高情報取得手段と、
音高情報取得手段により取得される各音高情報に基づいて演奏ガイド手段を制御し、他方の鍵域において当該音高情報に対応する鍵を操作すべき該当鍵として指示するガイドを開始させる各鍵ガイド開始制御手段と、
他方の鍵域内の鍵の操作に応じて生成される音高情報が音高情報取得手段により取得された音高情報に対応する場合に演奏ガイド手段を制御し、各鍵ガイド開始制御手段により開始された該当鍵のガイドを終了させる各鍵ガイド終了制御手段と
を具備することを特徴とする電子音楽装置。
【請求項２】
複数の鍵から成る鍵盤と、
鍵盤の各鍵に対して演奏すべきことをガイドするための演奏ガイド手段と、
外部電子音楽装置から音高情報を順次取得する音高情報取得手段と、
音高情報取得手段により取得される各音高情報に基づいて演奏ガイド手段を制御し、当該音高情報に対応する鍵を操作すべき該当鍵として指示するガイドを開始させる各鍵ガイド開始制御手段と、
鍵の操作に応じて生成される音高情報が音高情報取得手段により取得された音高情報に対応する場合に演奏ガイド手段を制御し、各鍵ガイド開始制御手段により開始された該当鍵のガイドを終了させる各鍵ガイド終了制御手段と
を具備することを特徴とする電子音楽装置。
【請求項３】
複数の鍵から成り鍵域分割の指示により実効的に２つの鍵域に分割される鍵盤、及び、鍵盤の各鍵に対して演奏すべきことをガイドするための演奏ガイド手段を具備し、電子音楽装置として機能するコンピュータに、
一方の鍵域内の鍵の操作に応じて生成される音高情報を順次取得する音高情報取得ステップと、
音高情報取得ステップで取得される各音高情報に基づいて演奏ガイド手段を制御し、他方の鍵域において当該音高情報に対応する鍵を操作すべき該当鍵として指示するガイドを開始させる各鍵ガイド開始制御ステップと、
他方の鍵域内の鍵の操作に応じて生成される音高情報が音高情報取得ステップで取得された音高情報に対応する場合に演奏ガイド手段を制御し、各鍵ガイド開始制御ステップで開始された該当鍵のガイドを終了させる各鍵ガイド終了制御ステップと
から成る手順を実行させる演奏ガイド処理プログラム。
【請求項４】
複数の鍵から成る鍵盤、及び、鍵盤の各鍵に対して演奏すべきことをガイドするための演奏ガイド手段を具備し、電子音楽装置として機能するコンピュータに、
外部電子音楽装置から音高情報を順次取得する音高情報取得ステップと、
音高情報取得ステップで取得される各音高情報に基づいて演奏ガイド手段を制御し、当該音高情報に対応する鍵を操作すべき該当鍵として指示するガイドを開始させる各鍵ガイド開始制御ステップと、
鍵の操作に応じて生成される音高情報が音高情報取得ステップで取得された音高情報に対応する場合に演奏ガイド手段を制御し、各鍵ガイド開始制御ステップで開始された該当鍵のガイドを終了させる各鍵ガイド終了制御ステップと
から成る手順を実行させる演奏ガイド処理プログラム。
【発明の詳細な説明】
【技術分野】
【０００１】
この発明は、演奏ガイド機能付きの鍵盤楽器などの電子音楽装置において演奏ガイドを効果的に行うための演奏ガイド処理システムに関する。
【背景技術】
【０００２】
従来より、鍵盤の各鍵に対応してガイド表示器を設け、模範演奏に基づき操作すべきとされた鍵をガイド表示器によりガイドする演奏ガイド機能付きの鍵盤楽器が知られている。例えば、特許文献１には、教習モード時に鍵盤が先生用鍵域と生徒用鍵域にスプリットされ、生徒用鍵域の各鍵に対応してＬＥＤが配置された電子鍵盤楽器（演奏教習装置）において、先生が先生用鍵域を操作すると、生徒用鍵域において操作すべき鍵がＬＥＤの点灯で指定される。
【特許文献１】特開平９−３４３４９号公報
【０００３】
このような従来技術によると、先生が離鍵してしまうと、ＬＥＤも消灯してＬＥＤ点灯による演奏ガイドが無くなってしまうので、生徒がＬＥＤの点灯を見落とせば、そこでレッスンが中断してしまうことになる。
【発明の開示】
【発明が解決しようとする課題】
【０００４】
この発明は、このような不都合に鑑み、演奏ガイド機能付きの鍵盤楽器などの電子音楽装置において、模範演奏による各鍵のガイドを該当鍵が操作されるまで持続させることで、鍵盤演奏のレッスン効率を上げるようにした演奏ガイド処理システムを提供することを目的とする。
【課題を解決するための手段】
【０００５】
この発明の第１の特徴に従うと、複数の鍵から成り鍵域分割の指示（Ｍ４〜Ｍ６）により実効的に２つの鍵域（Ｒｔ，Ｒｓ）に分割される鍵盤（１５Ｋ）と、鍵盤の各鍵に対して演奏すべきことをガイドするための演奏ガイド手段（１６Ｌ，１６Ｅ，１６Ｄ，…）と、一方の鍵域（Ｒｔ）内の鍵の操作に応じて生成される音高情報を順次取得する音高情報取得手段（Ｃ，Ｄ；Ｆ１〜Ｆ４）と、音高情報取得手段により取得される各音高情報に基づいて演奏ガイド手段（１６Ｌ，…）を制御し、他方の鍵域（Ｒｓ）において当該音高情報に対応する鍵を操作すべき該当鍵として指示するガイドを開始させる各鍵ガイド開始制御手段（Ｅ，Ｇ，Ｈ；Ｆ５→Ｆ９）と、他方の鍵域（Ｒｓ）内の鍵の操作に応じて生成される音高情報が音高情報取得手段により取得された音高情報に対応する場合に演奏ガイド手段（１６Ｌ，…）を制御し、各鍵ガイド開始制御手段により開始された該当鍵のガイドを終了させる各鍵ガイド終了制御手段（Ｃ，Ｄ，Ｆ，Ｇ，Ｈ；Ｆ６〜Ｆ９）とを具備する電子音楽装置（ＥＭ）〔請求項１〕が提供され、また、複数の鍵から成り鍵域分割の指示（Ｍ４〜Ｍ６）により実効的に２つの鍵域（Ｒｔ，Ｒｓ）に分割される鍵盤（１５Ｋ）、及び、鍵盤の各鍵に対して演奏すべきことをガイドするための演奏ガイド手段（１６Ｌ，１６Ｅ，１６Ｄ，…）を具備し、電子音楽装置として機能するコンピュータ（ＥＭ）に、一方の鍵域（Ｒｔ）内の鍵の操作に応じて生成される音高情報を順次取得する音高情報取得ステップ（Ｃ，Ｄ；Ｆ１〜Ｆ４）と、音高情報取得ステップで取得される各音高情報に基づいて演奏ガイド手段（１６Ｌ，…）を制御し、他方の鍵域（Ｒｓ）において当該音高情報に対応する鍵を操作すべき該当鍵として指示するガイドを開始させる各鍵ガイド開始制御ステップ（Ｅ，Ｇ，Ｈ；Ｆ５→Ｆ９）と、他方の鍵域（Ｒｓ）内の鍵の操作に応じて生成される音高情報が音高情報取得ステップで取得された音高情報に対応する場合に演奏ガイド手段（１６Ｌ，…）を制御し、各鍵ガイド開始制御ステップで開始された該当鍵のガイドを終了させる各鍵ガイド終了制御ステップ（Ｃ，Ｄ，Ｆ，Ｇ，Ｈ；Ｆ６〜Ｆ９）とから成る手順を実行させる演奏ガイド処理プログラム〔請求項３〕が提供される。なお、括弧書きは実施例の参照記号・用語乃至参照箇所を表わし、以下においても同様である。
【０００６】
この発明の第２の特徴に従うと、複数の鍵から成る鍵盤（１５Ｋ）と、鍵盤の各鍵に対して演奏すべきことをガイドするための演奏ガイド手段（１６Ｌ，１６Ｅ，１６Ｄ，…）と、外部電子音楽装置〔ＭＴ（ＭＤ）〕から音高情報を順次取得する音高情報取得手段（Ｅ；Ｌ１→Ｌ２）と、音高情報取得手段により取得される各音高情報に基づいて演奏ガイド手段（１６Ｌ，…）を制御し、当該音高情報に対応する鍵を操作すべき該当鍵として指示するガイドを開始させる各鍵ガイド開始制御手段（Ｅ，Ｇ，Ｈ；Ｌ２→Ｌ６）と、鍵の操作に応じて生成される音高情報が、音高情報取得手段により取得された音高情報に対応する場合に、各鍵ガイド開始制御手段により開始された該当鍵のガイドを終了させる各鍵ガイド終了制御手段（Ｆ，Ｇ，Ｈ；Ｌ３〜Ｌ６）とを具備する電子音楽装置〔ＭＳ（ＥＭ）〕〔請求項２〕が提供され、また、複数の鍵から成る鍵盤（１５Ｋ）、及び、鍵盤の各鍵に対して演奏すべきことをガイドするための演奏ガイド手段（１６Ｌ，１６Ｅ，１６Ｄ，…）を具備し、電子音楽装置として機能するコンピュータ〔ＭＳ（ＥＭ）〕に、外部電子音楽装置〔ＭＴ（ＭＤ）〕から音高情報を順次取得する音高情報取得ステップ（Ｅ；Ｌ１→Ｌ２）と、音高情報取得ステップで取得される各音高情報に基づいて演奏ガイド手段（１６Ｌ，…）を制御し、当該音高情報に対応する鍵を操作すべき該当鍵として指示するガイドを開始させる各鍵ガイド開始制御ステップ（Ｅ，Ｇ，Ｈ；Ｌ２→Ｌ６）と、鍵の操作に応じて生成される音高情報が音高情報取得ステップで取得された音高情報に対応する場合に演奏ガイド手段（１６Ｌ，…）を制御し、各鍵ガイド開始制御ステップで開始された該当鍵のガイドを終了させる各鍵ガイド終了制御ステップ（Ｆ，Ｇ，Ｈ；Ｌ３〜Ｌ６）とから成る手順を実行させる演奏ガイド処理プログラム〔請求項４〕が提供される。
【発明の効果】
【０００７】
この発明の第１の特徴による演奏ガイド処理システムでは、電子音楽装置（ＥＭ）は、複数の鍵から成る鍵盤（１５Ｋ）と、鍵盤の各鍵に対して演奏すべきことをガイドするための演奏ガイド手段（１６Ｌ，１６Ｅ，１６Ｄ，…）を備え、鍵盤（１５Ｋ）は、鍵域分割の指示（Ｍ４〜Ｍ６）により、実効的に、先生側及び生徒側の２つの鍵域（Ｒｔ，Ｒｓ）に分割される。先生が鍵盤（１５Ｋ）の先生側鍵域（Ｒｔ）内で模範演奏を行うと、模範の演奏操作に応じて生成される音高情報が順次入力され（Ｃ，Ｄ；Ｆ１〜Ｆ４）、模範演奏の各音高情報に基づいて演奏ガイド手段（１６Ｌ，…）を制御し演奏ガイドを開始させる。つまり、演奏ガイド手段（１６Ｌ，…）による各鍵のガイドを開始し、生徒側鍵域（Ｒｓ）において各音高情報に対応する鍵（「該当鍵」という）を指示して生徒に操作すべき旨を報知する（Ｅ，Ｇ，Ｈ；Ｆ５→Ｆ９）。これに対して、生徒が鍵盤（１５Ｋ）の生徒側鍵域（Ｒｓ）内で該当鍵を操作すると、この鍵操作に応じて生成される音高情報が模範演奏の音高情報に対応する場合には、演奏ガイド手段（１６Ｌ，…）を制御しこの該当鍵についてガイドを終了させる（Ｃ，Ｄ，Ｆ，Ｇ，Ｈ；Ｆ６〜Ｆ９）。
【０００８】
例えば、ガイド手段として鍵盤（１５Ｋ）近傍に鍵毎にＬＥＤガイドランプ（１６Ｌ）を設けた場合、先生が先生側鍵域（Ｒｔ）で弾いた鍵がどれか分かるように、生徒側鍵域（Ｒｓ）で該当鍵を指示するガイドランプ（１６Ｌ）が点灯し、生徒がこの鍵を弾くまで点灯し続ける。従って、生徒が、点灯しているガイドランプ（１６Ｌ）により指示される該当鍵を弾くと、これをトリガーとしてこのガイドランプ（１６Ｌ）は消灯されるが、調号や臨時記号の見落しなどで鍵操作を間違えた場合は、先生が離鍵しても当該ガイドランプ（１６Ｋ）は消灯されず点灯を持続するので、生徒は、間違えた場所が視覚的に分かる。また、先生は、一度弾けば、後は生徒のレッスンに集中することができ、従来の不都合を解消する。つまり、この発明によれば、演奏ガイド機能付きの鍵盤楽器などの電子音楽装置において、模範演奏に基づく操作すべき各鍵のガイドを該当鍵が操作されるまで持続させることで鍵盤演奏のレッスン効率を上げることができる。
【０００９】
この発明の第２の特徴による演奏ガイド処理システムでは、電子音楽装置（ＥＭ）は、複数の鍵から成る鍵盤（１５Ｋ）と、鍵盤の各鍵に対して演奏すべきことをガイドするための演奏ガイド手段（１６Ｌ，１６Ｅ，１６Ｄ，…）を備え、先生が外部電子音楽装置〔ＭＴ（ＭＤ）〕で模範演奏をすると、その音高情報が順次入力される（Ｅ；Ｌ１→Ｌ２）。演奏ガイド手段（１６Ｌ，…）は、各音高情報に基づいて制御され、当該音高情報に対応する鍵を操作すべき該当鍵として指示するガイドを開始する（Ｅ，Ｇ，Ｈ；Ｌ２→Ｌ６）。これに対して、生徒が鍵盤（１５Ｋ）の鍵を操作し、この鍵操作に応じて生成される音高情報が模範演奏の音高情報に対応する場合には、演奏ガイド手段（１６Ｌ，…）が制御され該当鍵のガイドを終了させる（Ｃ，Ｄ，Ｆ，Ｇ，Ｈ；Ｆ６〜Ｆ９）。
【００１０】
例えば、ガイド手段として鍵盤（１５Ｋ）近傍に鍵毎にＬＥＤガイドランプ（１６Ｋ）を設けた場合は、先生が先生側の電子音楽装置（ＭＴ）で弾いた鍵がどれか分かるように、生徒側の電子音楽装置（ＭＳ）で対応する鍵を指示するガイドランプ（１６Ｋ）が点灯し、生徒がこの鍵を弾くまで点灯し続ける。従って、前述したように、生徒が、ガイドランプ（１６Ｌ）の点灯で指示される該当鍵を弾くと当該ガイドランプ（１６Ｌ）は消灯するが、鍵操作を間違えると、先生が離鍵してもガイドランプ（１６Ｌ）は点灯状態を維持して間違えた場所を生徒に知らせる。また、先生は生徒側の電子音楽装置（ＭＳ）とは別の先生側電子音楽装置（ＭＴ）で模範演奏を行うので、生徒の動きを把握し難いレッスン環境となるが、一度模範演奏を行えば、後は生徒のレッスンに集中することができ、従来の不都合を解消する。つまり、この発明によれば、演奏ガイド機能付きの鍵盤楽器などの電子音楽装置に外部電子音楽装置を信号線で連結して演奏レッスンを行う場合に、外部電子音楽装置における模範演奏に基づく各鍵のガイドを該当鍵が操作されるまで持続させることで鍵盤演奏のレッスン効率を上げることができる。
【発明を実施するための最良の形態】
【００１１】
〔システムの概要〕
この発明の一実施例による演奏ガイド処理システムの本体となる電子音楽装置は、演奏ガイドを含む音楽情報処理機能を有する一種のコンピュータであり、電子鍵盤楽器のように鍵盤を含む演奏操作部を備える音楽専用機器が用いられ、しかも、演奏ガイド部が付加されている。図１は、この発明の一実施例による電子音楽装置のハードウエア構成ブロック図を示す。この電子音楽装置ＥＭは、中央処理装置（ＣＰＵ）１、ランダムアクセスメモリ（ＲＡＭ）２、読出専用メモリ（ＲＯＭ）３、外部記憶装置４、演奏操作検出回路５、演奏指示器制御回路６、設定操作検出回路７、表示回路８、音源回路９、効果回路１０、ＭＩＤＩインターフェース（Ｉ／Ｆ）１１、通信インターフェース（Ｉ／Ｆ）１２などを備え、これらの要素１〜１２はバス１３を介して互いに接続される。
【００１２】
ＣＰＵ１は、ＲＡＭ２及びＲＯＭ３と共にデータ処理部を構成し、所定の制御プログラムに従い、タイマ１４によるクロックを利用して、演奏ガイド処理を含む種々の楽音情報処理を実行する。ＲＡＭ２は、これらの処理に際して必要な各種データを一時記憶するためのワーク領域として用いられ、例えば、演奏ガイド処理の際には、バッファメモリやフラグレジスタ等が設けられる。また、ＲＯＭ３には、これらの処理を実行するために、演奏ガイド処理プログラムを含む各種制御プログラムや演奏データ等が予め記憶される。
【００１３】
外部記憶装置４は、ハードディスク（ＨＤ）やフラッシュメモリのような書換え可能な半導体メモリ等の内蔵記憶媒体の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、スマートメディア（登録商標）等の小型メモリカード、等々、種々の可搬性の外部記録媒体を含む。ユーザは、任意の外部記憶装置（例えばＨＤ）４に各種制御プログラムや演奏データ等を記憶して、任意の演奏データをこの電子音楽装置ＥＭで処理することができる。
【００１４】
演奏操作検出回路５は、複数の鍵を備えた鍵盤（１５Ｋ）などの演奏操作子１５の演奏操作内容を検出し、検出内容に対応する情報をデータ処理部に導入する。演奏指示器制御回路６は、演奏ガイドの際に能動化され、ＬＥＤ等で構成された演奏指示器１６のガイド内容をＣＰＵ１からの指令に従って制御する。また、検出回路５、演奏操作子１５、制御回路６及び演奏指示器１６は、演奏操作及びガイド部Ａを構成する。
【００１５】
設定操作検出回路７は、キースイッチやマウス等の設定操作子１７の設定操作内容を検出しデータ処理部に導入する。設定操作子１７には、例えば、連弾モード移行スイッチや通常モード移行スイッチ、教習モード移行スイッチ等のモード遷移のためのスイッチが含まれる。表示回路８は、各種画面を表示するＬＣＤ等のディスプレイ１８や図示しない各種インジケータを備え、これらの表示／点灯内容をＣＰＵ１からの指令に従って制御し、演奏操作子１５や設定操作子１７の操作に対する表示援助を行う。
【００１６】
音源回路９は、ＤＳＰを有する効果回路１０と共に楽音信号生成部Ｂを構成し、演奏操作子１５の演奏操作に基づいてオーディオ形式の楽音信号を生成し、効果回路１０は、この楽音信号に所望の効果を付与する。そして、効果回路１０に接続されたサウンドシステム１９は、Ｄ／Ａ変換部やアンプ、スピーカを備え、効果回路１０からの楽音信号に基づく楽音を発生する。楽音信号生成部Ｂは、記憶手段３，４等からの演奏データに基づく楽音信号を生成することもできる。
【００１７】
ＭＩＤＩＩ／Ｆ１１には他のＭＩＤＩ音楽機器ＭＤが接続され、この電子音楽装置ＥＭと他の音楽機器ＭＤとの間でＭＩＤＩ演奏データを授受することができ、例えば、他の音楽機器ＭＤからの演奏情報をこの電子音楽装置ＥＭで利用することができる。また、通信Ｉ／Ｆ１２には、インターネットやローカルエリアネットワーク（ＬＡＮ）などの通信ネットワークＣＮが接続され、配信装置などの外部サーバコンピュータＳＶから制御プログラムや演奏データをダウンロードしこの電子音楽装置ＥＭで利用することができる。
【００１８】
〔演奏操作及びガイド部の外観〕
この発明の一実施例による演奏ガイド処理システムでは、上述のように、通常の電子楽器に演奏ガイド部（演奏指示部ともいう）６−１６が付加された演奏ガイド機能付き電子楽器ＥＭが電子音楽装置として用いられる。そして、後述するように、連弾モード（ four-hand performance）では鍵盤１５Ｋが先生側鍵域(Ｒｔ)及び生徒側鍵域(Ｒｓ)に鍵域分割され、連結モードでは、先生側電子音楽装置（ＭＴ＝ＭＤ）が生徒側電子音楽装置（ＭＳ＝ＥＭ）に連結されて、生徒側鍵域(Ｒｓ)或いは生徒側電子音楽装置（ＭＳ）について演奏ガイド部による演奏ガイドが行われるが、演奏ガイド部には種々のタイプのガイド機構を採用することができる。図２は、この発明の一実施例による電子音楽装置の演奏操作及びガイド部の外観例を示し、図２（１）の外観１は、演奏ガイド手段としてＬＥＤのような発光要素を用いて押鍵すべき鍵を指示する場合の外観例を示す。
【００１９】
図２（１ａ）では、演奏操作子１５の鍵盤１５Ｋの近傍に各鍵毎にＬＥＤガイドランプ１６Ｌが配置される。鍵盤１５Ｋは、連弾モードで演奏ガイドが行われる場合、スプリットポイントを境界にして低音高鍵域Ｒｔと高音高鍵域Ｒｓとに鍵域分割され、低音高鍵域Ｒｔは先生側鍵域と呼ばれ、高音高鍵域Ｒｓは生徒側鍵域と呼ばれる。そして、先生側鍵域Ｒｔで先生が模範演奏を行うと、生徒側鍵域Ｒｓでは、ＬＥＤガイドランプ１６Ｌのうち、模範演奏で操作された先生側鍵域Ｒｔの鍵に対応する音高位置（例えば、３オクターブアップの位置）にある鍵（該当鍵という）に対応して設けられたＬＥＤランプが点灯し、生徒に対して該当鍵を押鍵操作するように演奏指示（演奏ガイドともいう）を行う。
【００２０】
なお、スプリットポイントの表示については、連弾モード専用の電子音楽装置では、図示のように、前面パネルの鍵域分割の境界位置近傍に、文字：“ SPLIT POINT”及び／又はスプリットマーク（野球のホームベース形をした矢印）を固定的に表記しておいてもよいが、連弾モード及び連結モードを備えた電子音楽装置では、鍵域分割時にのみ文字やマークが現われるように可変に表示する方法を採ることが好ましい。
【００２１】
図２（１ｂ）では、鍵盤１５Ｋの各鍵に内蔵された内蔵ＬＥＤランプ１６Ｅ（図示せず）を用いて押鍵すべき鍵自体を光らせ、生徒に該当鍵を知らせる。例えば、鍵盤１５Ｋの各鍵を半透明の合成樹脂などの素材で成形し、ＬＥＤ発光体１６Ｅを鍵の下部に収納するか或いは鍵内部に組み込んでおき、押鍵ガイドがない場合は、白鍵は乳白色を呈し黒鍵は暗黒色を呈しているが、連弾モードで演奏ガイドが行われる場合には、先生側鍵域Ｒｔでの模範演奏に応じて、生徒側鍵域Ｒｓの対応する該当鍵の内蔵ＬＥＤランプ１６Ｅを点灯することにより、該当鍵自体を明るく光らせてユーザに対して押鍵するように指示する。
【００２２】
図２（２）の外観２は、演奏ガイド手段としてＬＣＤディスプレイ１６Ｄを用いて押鍵すべき鍵を指示する場合の外観例を示す。この場合、ディスプレイ１６Ｄに表示される演奏ガイド画面には、ガイド対象となる鍵盤１５Ｋを模擬した鍵盤画像を映し出し、先生側鍵域Ｒｔでの模範演奏に対応する操作鍵を○印などで強調表示することにより、演奏指示が行われる。ガイドする対象は全鍵でなく、鍵盤１５Ｋの真ん中当たりや生徒側領域Ｒｓの範囲のみなどの限られた範囲を模擬するようにしても良い。また、連弾モードで演奏ガイドが行われる場合は、図示のように、先生側鍵域Ｒｔに対応する低音域を灰色の固定画像とし、生徒側鍵域Ｒｓに対応する高音域半分だけで押鍵指示することができるようにしておいてもよい。但し、連結モード専用の電子音楽装置或いは連弾モード及び連結モードを備えた電子音楽装置において、連結モードで演奏ガイド画面を用いる場合には、演奏ガイド画面の全音域について押鍵指示可能とすることが好ましい。
【００２３】
なお、演奏ガイド手段としてＬＣＤディスプレイ１６Ｄを用いる場合に演奏ガイド画面に表示される画像は、図２（２）の左上に示すように、鍵盤に代えて五線譜としてもよい。この場合、五線譜上には、先生の模範演奏による各音符が、五線譜上の対応する音高位置に該当音符として演奏順に順次表示され、該当音符に対応する鍵をユーザが押鍵すると、該当音符が五線譜上から削除されるが、該当音符に対応する鍵をユーザが押鍵しない限り、該当音符は五線譜上に表示されたままとなる。該当音符の演奏進行方向の位置については、該当音符の削除に伴い後の該当音符を前進（左方向に移動）させて先頭の該当音符が一定の位置に表示されるようにするのが好ましい。
【００２４】
また、以下の例では、ＬＥＤのような発光要素を演奏ガイド手段に用いて押鍵すべき鍵を指示する場合について演奏ガイドの説明を進めるが、他のタイプの演奏ガイド手段を用いても同様の演奏ガイドを実現することができる。
【００２５】
〔連弾モードでの演奏ガイド〕
この発明の一実施例による演奏ガイド処理システムでは、連弾モードにおいて先生が電子音楽装置ＥＭの先生側鍵域Ｒｔで鍵を弾くと、生徒側鍵域Ｒｓにおける所定のガイドランプ１６Ｌの点灯により、先生が弾いた鍵に対応する該当鍵が指示され、生徒が該当鍵を弾くまでこの点灯状態が維持されるという態様で演奏ガイドが行われる。
【００２６】
図３は、この発明の一実施例による演奏ガイド処理システムの連弾モードにおける演奏ガイドの概念図である。この演奏ガイド処理システムは、連弾モードでは、図３に示すように、先生側鍵域Ｒｔ及び生徒側鍵域Ｒｓに鍵域分割される鍵盤１５Ｋと鍵盤１５Ｋの鍵毎にガイドランプ１６Ｌを備えた演奏指示器１６とから成る演奏操作及びガイド部Ａ、鍵盤１５Ｋの押鍵操作に基づく押鍵情報の音高値を、予め定められたスプリットポイントの音高値と比較して、押鍵情報が先生側鍵域Ｒｔでの押鍵によるものか生徒側鍵域Ｒｓでの押鍵によるものかを判定（判断）する鍵域判定部Ｃ、先生側鍵域Ｒｔ内で或る音高位置にある鍵Ｋｔの操作に基づく先生側音高情報と生徒側鍵域Ｒｔ内で相対的に鍵Ｋｔと同じ音高位置にある鍵Ｋｓの操作に基づく生徒側音高情報とが一致する（先生側及び生徒側押鍵情報の音高が揃う）ように、先生側音高情報及び／又は生徒側音高情報を音高変換するトランスポーズ部（音高変換部ともいう）Ｄ、トランスポーズ部Ｄで音高変換された音高情報を含む押鍵情報に基づいて楽音信号を生成する楽音信号生成部Ｂ、トランスポーズ部Ｄからの先生側音高情報をバッファメモリＧに蓄積させる（「積む」ともいう）積み処理部（蓄積処理部ともいう）Ｅ、トランスポーズ部Ｄからの生徒側音高情報がバッファメモリＧに蓄積された先頭の先生側音高情報に一致する場合この先生側音高情報をバッファメモリＧから削除する削除処理部Ｆ、積み処理部Ｅから供給される先生側音高情報を供給タイミング順に先頭番地から順次蓄積して行き削除処理部Ｆからの削除指示により先頭の先生側音高情報が削除されると次番地以下の情報を先頭番地以下にシフトするバッファメモリＧ、バッファメモリＧを参照しその蓄積内容に応じて演奏指示器１６内のガイドランプ１６Ｌの点灯による演奏ガイドを制御する演奏ガイド制御部Ｈなどから構成される。
【００２７】
連弾モードの動作を具体的な例を挙げつつ説明すると、まず、先生（指導者）と生徒が一台の演奏ガイド機能付き電子鍵盤楽器つまり電子音楽装置ＥＭの前に座り、設定操作子１７中の連弾モード移行スイッチを操作して、連弾機能をＯＮすると、所定のスプリットポイントを境界として鍵盤１５Ｋが２つの鍵域に分割され、一方の鍵域（例えば、低音高鍵域）が先生（指導者）用の先生側鍵域Ｒｔに設定され、他方の鍵域（この例では、高音高鍵域）が生徒用の生徒側鍵域Ｒｓに設定される。
【００２８】
この設定処理において、鍵域判定部Ｃは、鍵域判定基準であるスプリットポイントを、例えば、Ｅ３鍵とＦ３鍵との間に設定し、鍵盤１５Ｋから音高情報がＥ３以下のときは先生側鍵域Ｒｔの鍵操作に基づいていると判定し、Ｆ３以上のときは生徒側鍵域Ｒｔの鍵操作に基づいていると判定する。また、トランスポーズ部Ｃは、先生側鍵域Ｒｔの鍵操作に基づいて生成される音高情報を音高変換し、例えば、３オクターブアップする。生徒側鍵域Ｒｔの鍵操作に基づいて生成される音高情報については、この例では、音高変換せずそのままの音高値とする。つまり、先生側鍵域ＲｔのＦ０〜Ｅ３鍵はそれぞれ生徒側鍵域ＲｔのＦ３〜Ｅ６鍵に対応し、Ｆ０〜Ｅ３鍵及びＦ３〜Ｅ６鍵の操作に基づく両音高情報は、それぞれ、音高Ｆ３〜Ｅ６を表わすように音高変換されて、音高値が揃えられる。換言すれば、先生側鍵域Ｒｔ＝Ｆ０〜Ｅ３内において或る音高位置にある鍵Ｋｔと生徒側鍵域Ｒｔ＝Ｆ３〜Ｅ６内において相対的に鍵Ｋｔと同じ音高位置にある鍵Ｋｓとは対応し、鍵Ｋｔ，Ｋｓの操作に基づく音高情報はトランスポーズ部Ｃで同じ音高値に音高変換され、音高変換後の両音高情報は、楽音信号生成部Ｂに同じ音高の楽音信号を生成させる。もちろん、先生側鍵域Ｒｔの鍵操作に基づく音高情報をそのままの音高値とし生徒側鍵域Ｒｓの鍵操作に基づく音高情報を３オクタープダウンさせて両音高情報を揃えてもよいし、先生側鍵域Ｒｔの鍵操作に基づく音高情報を２オクターブアップさせ生徒側鍵域Ｒｓの鍵操作に基づく音高情報を１オククーブダンさせて両音高情報を揃えてもよい。
【００２９】
次に、先生が先生側鍵域Ｒｔの或る鍵Ｋｔを弾くと、鍵域判定部Ｃ及びトランスポーズ部Ｃを通じ、鍵Ｋｔの操作に基づく音高情報は３オクターブ高い値に音高変換され、音高変換された音高情報は、楽音信号生成部Ｂに供給されて、この音高情報に応じた楽音信号が生成されると共に、積み処理部Ｅを介してバッファメモリＧに蓄積される。演奏ガイド制御部Ｈは、バッファメモリＧに蓄積されている音高情報に従って、先生が弾いた鍵がどれか分かるように、演奏指示器１６中の所定のガイドランプ１６Ｌ即ち生徒側鍵域Ｒｔ内で鍵Ｋｔに対応する鍵（該当鍵）Ｋｓのランプ１６Ｌ〔図２（１ａ）黒丸〕を点灯する。
【００３０】
このランプは、生徒が該当鍵Ｋｓを弾くまで点灯し続ける。つまり、生徒が生徒側鍵域Ｒｔの該当鍵Ｋｓを弾くと、鍵Ｋｔの操作に基づく音高情報は、鍵域判定部Ｃ及びトランスポーズ部Ｃを通じ、楽音信号生成部Ｂに供給されてこの音高情報に応じた楽音信号が生成されると共に、削除処理部Ｆに供給される。削除処理部Ｆは、バッファメモリＧに蓄積されている先頭の音高情報と一致する（即ち、同じ音高の）音高情報が供給されると、先頭の音高情報をバッファメモリＧから削除するので、先生が鍵Ｋｔを弾いたことに基づく音高情報は、生徒が該当鍵Ｋｓを弾いたことに基づく音高情報と同音高で一致し、バッファメモリＧから削除される。そして、演奏ガイド制御部Ｈは、これに応じて、該当鍵Ｋｓの押鍵を指示していたランプ１６Ｌを消灯させる。
【００３１】
このように、点灯中のガイドランプ１６Ｌは、先生が弾いた鍵Ｋｔと同じ位置関係にある鍵Ｋｓを生徒が正しく弾いたことをトリガーとして消灯されるが、先生が鍵Ｋｔから離鍵するだけでは消灯しない。また、先生が弾いた鍵Ｋｔとは位置関係が異なる鍵を生徒が間違えて弾いた場合も消灯しない。
【００３２】
この演奏ガイド処理システムにおける演奏ガイドの特徴は、次のように要約することができる：このシステムでは、複数の鍵から成る鍵盤１５Ｋの各鍵毎にＬＥＤ等のガイドランプ１６Ｌを備えた演奏ガイド手段１６が設けられ、連弾モードでは、鍵盤１５Ｋが先生側及び生徒側鍵域Ｒｔ，Ｒｓに分割される。先生が先生側鍵域Ｒｔ内で模範演奏を行うと、積み処理部Ｅを通じて模範演奏による音高情報が順次バッファＧに蓄積され、演奏ガイド制御部Ｈにより、バッファＧに蓄積された音高情報に基づいて、対応する鍵（該当鍵）のガイドランプ１６Ｌが点灯され該当鍵の演奏ガイドが開始される。これに対して、生徒が生徒側鍵域Ｒｓで該当鍵を操作した（その音高情報がバッファＧに蓄積された模範演奏の音高情報に対応する）場合は、削除処理部Ｆにより模範演奏の音高情報がバッファＧから削除され、演奏ガイド制御部Ｈにより、ガイドランプ１６Ｌが消灯され該当鍵の演奏ガイドが終了される。なお、後述する連結モードでは、生徒側楽器（ＥＭ＝ＭＴ）に音高情報の信号線で連結された先生側楽器（ＭＤ＝ＭＳ）からの模範演奏による音高情報がバッファＧに蓄積されることで、ガイドランプ１６Ｌが点灯されて該当鍵の演奏ガイドが開始され、生徒側楽器で該当鍵の操作があるとこの音高情報がバッファＧから削除されることで、このガイドランプ１６Ｌが消灯されて該当鍵の演奏ガイドが終了される。
【００３３】
また、このシステムでは、押鍵指示のための演奏情報には押鍵情報（ノートオン）が用いられる。離鍵情報（ノートオフ）は、発音された楽音の消音するために楽音信号生成部Ｂにおいて利用されるが、押鍵指示には不要である。
【００３４】
〔連弾モードを有する電子音楽装置における処理フロー〕
この発明の一実施例による演奏ガイド処理システムにおいては演奏ガイド処理プログラムに従って上述した連弾モードの演奏ガイドを行うことができる。図４及び図５は、この発明の一実施例による連弾モードを有する電子音楽装置における処理例を表わすフローチャートであり、図４はそのメイン処理フローを示す。
【００３５】
図４のメイン処理フローは、電子音楽装置ＥＭの電源投入で開始し、ＣＰＵ１は、まず、最初のステップＭ１において、初期設定を行い、各部の設定を初期値にリセットする。これにより、鍵盤１５Ｋに対する各鍵域の設定はリセットされ、ＲＡＭ２上のフラグレジスタには「通常モード」がセットされる。次のステップＭ２では、フラグレジスタにセットされているフラグが「連弾モード」であるか否かを判定する。
【００３６】
ステップＭ２で、フラグが連弾モードでない即ち通常モードであると判定したときは（Ｍ２＝ＮＯ）、ステップＭ３に進んで、通常モード処理（通常の楽音信号生成処理）を行い、鍵域分割（Ｃ）や音高変換（Ｄ）なしに、通常の処理態様で、鍵盤１５Ｋ等の演奏操作子１５の演奏操作に基づいて楽音信号を生成し、或いは、記憶手段３，４等からの演奏データに基づいて楽音信号を生成する。次いで、ステップＭ４で、連弾モード遷移操作がなされたか否かを判定し、連弾モード遷移操作がなされないときは（Ｍ４＝ＮＯ）、ステップＭ２に戻る。設定操作子１７中の連弾モード移行スイッチを操作する連弾モード遷移操作がなされたときには（Ｍ４＝ＹＥＳ）、ステップＭ５に進み、各鍵域の音色（例えば、類似の音色であるが、明確に聞き分けられるような音色）を設定したり、各鍵域の音高が揃うように、トランスポーズ部Ｄにおける先生側及び生徒側音高情報に対する音高変換量を設定したり、バッファメモリＧをクリアする等、連弾モードで必要な当初条件を設定する。そして、ステップＭ６で、フラグレジスタのモードを連弾モードにセットし、その後、ステップＭ２に戻る。
【００３７】
ステップＭ２で、フラグが連弾モードであると判定したときは（Ｍ２＝ＮＯ）、ステップＭ７に進んで、図３の概念図で説明した演奏ガイド表示に関する各機能部Ｃ〜Ｈを能動化し、ステップＭ５で設定された条件に従って、図５に示される連弾モード処理を行う。次いで、ステップＭ８で、通常モード遷移操作がなされたか否かを判定し、通常モード遷移操作がなされないときは（Ｍ８＝ＮＯ）、ステップＭ２に戻る。設定操作子１７中の通常モード移行スイッチを操作する通常モード遷移操作がなされたときには（Ｍ８＝ＹＥＳ）、ステップＭ９に進み、鍵域毎に設定されていた条件や演奏ガイド表示に関する機能をリセットする。そして、ステップＭ１０で、フラグレジスタのモードを通常モードにセットし、その後、ステップＭ２に戻る。また、ステップＭ２に戻ると、電源がオフされるまで、上述したステップＭ２〜Ｍ１０の処理を繰り返す。
【００３８】
図５は、図４のステップＭ７で行われる連弾モード処理の手順を表わすフローチャートを示す。連弾モード処理が開始すると、第１のステップＦ１で押鍵操作されたか否かを判定し、押鍵操作されたときは（Ｆ１＝ＹＥＳ）、ステップＦ２で、スプリットポイント値と比較して押鍵操作された位置が先生側鍵域（低音高鍵域）Ｒｔか否かを判定する。
【００３９】
ステップＦ２で、押鍵位置が先生側鍵域Ｒｔであると判定したときは（Ｆ２＝ＹＥＳ）、ステップＦ３に進んで、押鍵情報の音高を、ステップＭ５で設定された先生側音高に対する音高変換量でトランスポーズ（音高変換）を行い、次のステップＦ４で、トランスポーズされた押鍵情報で楽音信号生成部Ｂに発音指示を行う。そして、ステップＦ５にて、トランスポーズされた押鍵情報の少なくとも音高情報をバッファメモリＧに積む。
【００４０】
一方、押鍵位置が生徒側鍵域Ｒｓであると判定したときには（Ｆ２＝ＮＯ）、ステップＦ６に進み、押鍵情報の音高を、ステップＭ５で設定された生徒側音高に対する音高変換量でトランスポーズを行い、次のステップＦ７で、トランスポーズされた押鍵情報で楽音信号生成部Ｂに発音指示を行う。そして、ステップＦ８にて、トランスポーズされた押鍵情報の音高とバッファＧ内に積まれた先頭の押鍵情報の音高とを比較し、同じ音高であれば、先頭の押鍵情報をバッファＧから削除する。
【００４１】
ステップＦ５での積み処理或いはステップＦ８での削除処理の後は、ステップＦ９に進んで、現在バッファＧに積まれている音高情報に該当する鍵の押鍵指示をするようにＬＥＤ等の演奏指示器１６の表示を更新する。ステップＦ１で押鍵操作されなかったと判定したとき（Ｆ１＝ＮＯ）、或いは、ステップＦ９での演奏指示器１６の表示更新処理の後は、ステップＦ１０で、ユーザ操作に応じて、各鍵域の音量、定位、音色設定など、その他の処理を行う。ステップＦ１０でのその他の処理の後或いはユーザ操作がなくステップＦ１０をスルーしたときは、メイン処理（図４）のステップＭ８にリターンする。
【００４２】
〔連結モードでの演奏ガイド〕
この発明の一実施例による演奏ガイド処理システムでは、電子音楽装置ＥＭに対して、先生が演奏する別の電子音楽装置を連結して動作モードを連結モード（「教習モード」ともいう）とし、先生が別の電子音楽装置で鍵を弾くと、電子音楽装置ＥＭにおける所定のガイドランプ１６Ｌの点灯により、先生が弾いた鍵に対応する該当鍵が指示され、生徒が該当鍵を弾くまでこの点灯状態を維持するという態様で演奏ガイドを行うことができる。
【００４３】
図６は、この発明の一実施例による連結モードを有する演奏ガイド処理システムの構成を説明するための図であり、図６（１）は、連結モードを有する場合のシステム構成を外観的に示す。このシステム例では、二台の電子楽器がＭＩＤＩケーブルで連結され、一方の電子楽器には他方の電子楽器から演奏情報が送られてくる。
【００４４】
一方の電子楽器は、図１に示される電子音楽装置ＥＭが用いられ、生徒により演奏されるので、生徒側装置ＭＳと呼ばれる。また、生徒側装置ＭＳの相手装置になる他方の電子楽器は、図１に他のＭＩＤＩ音楽機器ＭＤで示される電子音楽装置が用いられ、電子音楽装置ＥＭと同様のハードウエア構成を有するが、演奏指示器制御回路及び演奏指示器は不要である。他方の電子楽器ＭＤは、先生により演奏されるので、先生側装置ＭＴと呼ばれ、以下の例では、先生側装置ＭＴ（＝ＭＤ）で模範演奏を鳴らすために楽音信号生成部Ｂが設けられているが、生徒側装置ＭＳ（＝ＥＭ）で模範演奏を鳴らす場合は、楽音信号生成部Ｂはなくてもよい。
【００４５】
連結モードでは、図６（１）に示すように、演奏ガイド手段（演奏指示器）１６には、図２（１ａ）と同様に、鍵盤１５Ｋの近傍に各鍵に対応して配置されたＬＥＤ等のガイドランプ１６Ｌが用いられ、生徒側装置ＭＳでは、、先生側装置ＭＴからの演奏情報に従って、ガイドランプ１６Ｌの点灯が制御され演奏指示が行われる。もちろん、図２（１ｂ）や図２（２）に示すような他の態様で演奏指示をするようにしてもよい。
【００４６】
図６（２）は、この演奏ガイド処理システムの連結モードにおける演奏ガイドの概念図である。この演奏ガイド処理システムは、連結モードでは、図６（２）に示すように、鍵盤及び楽音信号生成部を備えた先生側装置ＭＴ（＝ＭＤ）と鍵盤１５Ｋと鍵盤１５Ｋの鍵毎にＬＥＤ等のガイドランプ１６Ｌを備えた演奏指示器１６とから成る演奏操作及びガイド部Ａを備えた生徒側装置ＭＳが連結される。生徒側装置ＭＳは、さらに、先生側装置ＭＴからの先生側音高情報をバッファメモリＧに蓄積させる（積む）積み処理部（蓄積処理部）Ｅ、鍵盤１５Ｋからの生徒側音高情報がバッファメモリＧに蓄積された先頭の先生側音高情報に一致する場合この先生側音高情報をバッファメモリＧから削除する削除処理部Ｆ、積み処理部Ｅから供給される先生側音高情報を供給タイミング順に先頭番地から順次蓄積して行き削除処理部Ｆからの削除指示により先頭の先生側音高情報が削除されると次番地以下の情報を先頭番地以下にシフトするバッファメモリＧ、バッファメモリＧを参照しその蓄積内容に応じて演奏指示器１６内のガイドランプ１６Ｌの点灯による演奏ガイドを制御する演奏ガイド制御部Ｈなどの機能部を備える。
【００４７】
このように、連結モードでは、図３で説明した連弾モードに比べると、鍵域分割に伴う鍵域判定及びトランスポーズがなく、先生側装置ＭＴからの先生側音高情報及び鍵盤１５Ｋからの生徒側音高情報が、それぞれ、直接、積み処理部Ｅ及び削除処理部Ｆに供給される点が異なるだけで、機能部Ｅ〜Ｈは、連弾モードの場合と同様に動作する。
【００４８】
〔連結モードを有する演奏ガイド処理システムにおける処理フロー〕
この発明の一実施例による演奏ガイド処理システムにおいては演奏ガイド処理プログラムに従って上述した連結モードの演奏ガイドを行うことができる。図７及び図８は、この発明の一実施例による連結モードを有する演奏ガイド処理システムにおける処理例を表わすフローチャートである。
【００４９】
先生側装置ＭＴは、電源投入により処理を開始し、最初のステップＴ１で、初期設定を行い、例えば、ＲＡＭ上のフラグレジスタには「通常モード」がセットされる。次のステップＴ２では、生徒側装置ＭＳからのモード通知〔「教習モード」（＝連結モード）の開始又は終了の通知〕に応じてフラグレジスタに教習モード（教習モード開始通知の場合）或いは通常モード（教習モード終了通知の場合）をセットし、モード通知がなければステップＴ２をスルーする。続くステップＴ３では、押鍵操作がなされたか否かを判定する。
【００５０】
ここで、押鍵操作があったと判定すると（Ｔ３＝ＹＥＳ）、ステップＴ４で楽音信号生成部Ｂに発音指示を行い、さらに、ステップＴ５に進む。ステップＴ５では、フラグレジスタにセットされているフラグが教習モードであるか否かを判定し、教習モードがセットされていると（Ｔ５＝ＹＥＳ）、ステップＴ６で、押鍵情報を生徒側装置ＭＳに送る。
【００５１】
ステップＴ３で押鍵操作がないと判定したとき（Ｔ３＝ＮＯ）、ステップＴ５で通常モードがセットされていると判定したとき（Ｔ５＝ＮＯ）或いはステップＴ６で押鍵情報の送信処理をした後は、ステップＴ２に戻り、電源がオフされるまで、上述したステップＴ２〜Ｔ６の処理を繰り返す。
【００５２】
生徒側装置ＭＳは、電源投入により処理を開始し、最初のステップＳ１で、初期設定を行い、例えば、ＲＡＭ２上のフラグレジスタには「通常モード」がセットされ、バッファメモリＧはクリアされる。次のステップＳ２では、フラグレジスタにセットされているフラグが教習モードであるか否かを判定する。
【００５３】
ここで、通常モードがセットされていると（Ｓ２＝ＮＯ）、ステップＳ３で通常モード処理（通常の楽音生成処理）を行う。通常モード処理の後は、ステップＳ４に進んで、教習モード遷移操作がなされたか否かを判定し、設定操作子１７中の教習モード移行スイッチを操作する教習モード遷移操作があったときは（Ｓ４＝ＹＥＳ）、まず、ステップＳ５で教習モードの開始を先生側装置ＭＴに通知する。次いで、ステップＳ６でバッファメモリＧと演奏指示器１６の表示内容をクリアし、更にステップＳ７でフラグレジスタに教習モードをセットする。そして、教習モード遷移操作がなかったとき（Ｓ４＝ＮＯ）、或いは、ステップＳ７で教習モードのフラグをセットした後はステップＳ２に戻る。
【００５４】
一方、ステップＳ２で教習モードがセットされていると判定したときには（Ｓ２＝ＹＥＳ）、ステップＳ８で、図６（２）の概念図で説明した演奏ガイド表示に関する各機能部Ｅ〜Ｈを能動化し、図８に示される教習モード処理（連結モード処理ともいう）を行う。次のステップＳ９では、通常モード遷移操作がなされたか否かを判定し、通常モード遷移操作があったときは（Ｓ９＝ＹＥＳ）、まず、ステップＳ１０で教習モードの終了を先生側装置ＭＴに通知する。次いで、ステップＳ１１にて演奏指示器１６の表示内容をクリアし、更にステップＳ１２でフラグレジスタに通常モードをセットする。そして、通常モード遷移操作がなかったとき（Ｓ９＝ＮＯ）、或いは、ステップＳ１２で通常モードのフラグをセットした後はステップＳ２に戻る。また、ステップＳ２に戻ると、電源がオフされるまで、上述したステップＳ２〜Ｓ１２の処理を繰り返す。
【００５５】
図８は、図７のステップＳ８で行われる教習モード処理（連結モード処理）の手順を表わすフローチャートを示す。教習モード処理が開始すると、第１のステップＬ１で先生側装置ＭＴから押鍵情報が届いたか否かを判定し、押鍵情報が届いたときは（Ｌ１＝ＹＥＳ）、ステップＬ２に進む。ステップＬ２では、先生側装置ＭＴから届いた押鍵情報の少なくとも音高情報をバッファメモリＧに積む。
【００５６】
ステップＬ２で先生側装置ＭＴから押鍵情報が届いていないと判定したときには（Ｌ１＝ＮＯ）、ステップＬ３で、生徒側装置ＭＳにおいて鍵盤１５Ｋの鍵に押鍵操作がなされたか否かを判定する。ここで、押鍵操作があったときは（Ｌ３＝ＹＥＳ）、まず、ステップＬ４で、押鍵操作に基づく押鍵情報に従って楽音信号生成部Ｂに発音指示を行い、次のステップＬ５にて、生徒側装置ＭＳでの押鍵操作に基づく押鍵情報の音高とバッファＧ内に積まれた先頭の押鍵情報の音高とを比較し、同じ音高であれば、先頭の押鍵情報をバッファＧから削除する。
【００５７】
ステップＬ２で音高情報の積み処理を行った後、或いは、ステップＬ５で同音高情報の削除処理を行った後は、ステップＬ６に進み、現在バッファＧに積まれている音高情報に該当する鍵の押鍵指示をするように、演奏指示器１６の表示内容を更新する。
【００５８】
ステップＬ３で押鍵操作がないと判定したとき（Ｌ３＝ＮＯ）或いはステップＬ６での表示更新処理の後は、ステップＬ７に進んで、ユーザ操作に応じて、音量、定位、音色設定など、その他の処理を行い、その他の処理の後、図７のステップＳ９にリターンする。
【００５９】
〔種々の実施態様〕
以上、図面を参照しつつこの発明の好適な実施の一形態について説明したが、これは単なる一例であって、この発明は、発明の精神を逸脱しない範囲で種々の変更が可能である。例えば、実施例では、電子的な演奏ガイド機能を電子楽器に組み合わせたものを電子音楽装置として説明したが、電子的な音高情報検出機能や演奏ガイド機能をピアノなどの自然楽器に組み合わせたものを電子音楽装置としてもよい。
【００６０】
また、実施例では、バッファＧから音高イベントを削除する場合に順番を考慮して、バッファＧには、タイミング順に先生側のイベントを先頭番地から積んで行き、生徒側の押鍵イベントとバッファＧ上の先頭イベントと音高比較するようにしたが、単純に同一音高のイベントを削除するようにしてもよい。つまり、バッファＧに積んだ先生側イベントから生徒側押鍵イベントと同じ音高のものを検索し、検索された場合に先生側イベントを削除する。これにより、機能部Ｅ〜Ｈの構成を簡単化することができる。
【００６１】
連弾モードにおける鍵域分割については、例えば、先生側鍵域と生徒側鍵域の間などに、何れの鍵域にも含まれず、楽音生成にも演奏指示にも関与しない不惑帯を設けるなどして、形式的に鍵域分割を３つ以上としてもよいが、この場合も、実効的には、先生側鍵域と生徒側鍵域とに２分割するという機能に変わりはない。また、どの鍵域が先生用でどの鍵域が生徒用であるかは限定する必要はなく、例えば、低音鍵域を生徒側にしてもよい。
【００６２】
連結モードの機能を実現する場合の通信方式は、ＭＩＤＩでもよいが、その他の通信方式でもよい。連結モード機能の設定は、実施例では生徒側からやっているが、先生側から指定してよいし、両方でもよい。連結モードの機能を実現する装置は、予め、先生専用装置と生徒専用装置と決まっていても良いし、どちらになれるようになっていてもよい。
【００６３】
演奏ガイドについては、鍵盤近傍のＬＥＤの点灯や押鍵すべき鍵自体の点灯、ディスプレイ上の鍵盤画像の点灯や五線譜画像上の点灯を制御する表示制御の例を示したが、押鍵すべき鍵自体を振動させたり少し沈んだりさせて機械的に制御するようにしてもよい。
【図面の簡単な説明】
【００６４】
【図１】この発明の一実施例による電子音楽装置のハードウエア構成図である。
【図２】この発明の一実施例による電子音楽装置における演奏操作及び指示部の外観を説明するための図である。
【図３】この発明の一実施例による連弾モードにおけるシステムの概念図である。
【図４】この発明の一実施例による連弾モードを有する電子音楽装置において実行されるメイン処理を表わすフローチャートである。
【図５】この発明の一実施例による連弾モード処理を表わすフローチャートである。
【図６】この発明の一実施例による連結モードを有する演奏ガイド処理システムの構成を説明するための図である。
【図７】この発明の一実施例による連結モードを有する演奏ガイドシステムにおいて実行される処理を表わすフローチャートである。
【図８】この発明の一実施例による教習モード処理を表わすフローチャートである。
【符号の説明】
【００６５】
Ａ，Ｂ  演奏操作及びガイド部並びに楽音信号生成部、
１５Ｋ  鍵盤、
１６Ｌ，１６Ｅ，１６Ｄ  演奏ガイド用のＬＥＤランプ、内蔵ＬＥＤ及びディスプレイ、
Ｒｔ，Ｒｓ  先生側領域及び生徒側領域、
Ｋｔ，Ｋｓ  模範演奏で弾かれた鍵及び操作すべき該当鍵、
ＭＴ，ＭＳ  先生側装置及び生徒側装置。
【図１】
2009222763.tif 000003
【図２】
2009222763.tif 000004
【図３】
2009222763.tif 000005
【図４】
2009222763.tif 000006
【図５】
2009222763.tif 000007
【図６】
2009222763.tif 000008
【図７】
2009222763.tif 000009
【図８】
2009222763.tif 000010